(57)【要約】【課題】  畝の表面に農業用バイオマットを効率よく張る農業用バイオマット工法を提供する。【解決手段】  トラクターによって材料タンクと材料吹き付け手段を運搬しながら、農業用バイオマットの材料を材料タンクから材料吹き付け手段に供給して、農業用バイオマットの材料を材料吹き付け手段から畝の表面に吹き付けて、畝の表面に農業用バイオマットを張る。【選択図】  図１
2010193791.tif 000002
【特許請求の範囲】
【請求項１】
農業用バイオマットの材料を畝に吹きつけて、畝の表面に農業用バイオマットを張ることを特徴とする農業用バイオマット工法。
【請求項２】
トラクターによって材料タンクと材料吹き付け手段を運搬しながら、農業用バイオマットの材料を材料タンクから材料吹き付け手段に供給して、農業用バイオマットの材料を材料吹き付け手段から畝の表面に吹き付けて、畝の表面に農業用バイオマットを張ることを特徴とする農業用バイオマット工法。
【請求項３】
トラクターと材料吹き付け手段との間にロータリーを配置して、畝をロータリーで整形した直後に、農業用バイオマットの材料を材料吹き付け手段から畝の表面に吹き付けることを特徴とする請求項２に記載の農業用バイオマット工法。
【請求項４】
材料吹き付け手段がスクリューを有し、材料タンクから材料吹き付け手段に供給されてきた材料をスクリューでかき混ぜてから吹き付けることを特徴とする請求項２又は３に記載の農業用バイオマット工法。
【請求項５】
材料吹き付け手段がヒータを有し、材料タンクから送られてきた材料をヒータで温めることを特徴とする請求項２又は３に記載の農業用バイオマット工法。
【請求項６】
材料タンクがヒータを有し、ヒータによって材料タンク内で材料を温めることを特徴とする請求項２又は３に記載の農業用バイオマット工法。
【請求項７】
吹き付け直後に、農業用バイオマットと畝を一緒に整形器具で押さえて整形することを特徴とする請求項３〜６のいずれか１項に記載の農業用バイオマット工法。
【請求項８】
トラクターとロータリーの間にコンプレッサーを配置し、コンプレッサーから高圧エアを吹き付け手段に送ることを特徴とする請求項３〜７のいずれか１項に記載の農業用バイオマット工法。
【発明の詳細な説明】
【技術分野】
【０００１】
本発明は、農業用バイオマットを畝に張る工法に関する。
【背景技術】
【０００２】
各種の農業用マルチ資材が大きな役割を果たしている。そのようなマルチ資材の１つとしてビニールマルチが多用されている。
【０００３】
ビニールマルチは、原材料及びその形態によって、農業用、工業用、土木用および日常生活用等があり、その大部分は塩化ビニール製品である。
【０００４】
最近では、マルチ資材として土壌中で分解消失するシート状の生分解プラスチック製品も開発されつつある。
【０００５】
農業用マットは、天然植物繊維を原料にしたシート状のマルチ資材で、透水性と通気性がビニールマルチより優れている。
【０００６】
農業用バイオマットは、作物種に応じて、種々の有機質肥料（堆肥、腐葉土等）、培抗微生物、炭（バイオリアクター）などを混合してシート状に作られる。
【発明の概要】
【発明が解決しようとする課題】
【０００７】
ビニールマルチは、雑草防除と地温を高めるだけの単純な機能を有するだけで、かつ通気性と透水性が期待できないため、作物生育と土壌環境に悪影響を及ぼす。
【０００８】
また、ビニールマルチは、作物収穫後の片付け作業に労力がかかり、加えて焼却で発生するダイオキシンによる環境汚染も大きな問題となっている。
【０００９】
マルチ資材の生分解プラスチック製品は、透水性と通気性が十分でない欠点を有する。
【００１０】
農業用マットは、完全分解に約３年間を要し、茶のような多年生作物の雑草防止には適合するが、1年生の作物には適合しない。
【００１１】
従来のマルチ資材は、すべて予めシート状に形成されるものであり、農業生産現場でシート状のマルチ資材を広げて畝の表面に張る。
【００１２】
本発明の目的は、畝の表面に農業用バイオマットを効率よく張る農業用バイオマット工法を提供することである。
【課題を解決するための手段】
【００１３】
本発明の解決手段を例示すると、次のとおりである。
【００１４】
（１）農業用バイオマットの材料を畝に吹きつけて、畝の表面に農業用バイオマットを張ることを特徴とする農業用バイオマット工法。
【００１５】
（２）トラクターによって材料タンクと材料吹き付け手段を運搬しながら、農業用バイオマットの材料を材料タンクから材料吹き付け手段に供給して、農業用バイオマットの材料を材料吹き付け手段から畝の表面に吹き付けて、畝の表面に農業用バイオマットを張ることを特徴とする農業用バイオマット工法。
【００１６】
（３）トラクターと材料吹き付け手段との間にロータリーを配置して、畝をロータリーで整形した直後に、農業用バイオマットの材料を材料吹き付け手段から畝の表面に吹き付けることを特徴とする前述の農業用バイオマット工法。
【００１７】
（４）材料吹き付け手段がスクリューを有し、材料タンクから材料吹き付け手段に供給されてきた材料をスクリューでかき混ぜてから吹き付けることを特徴とする前述の農業用バイオマット工法。
【００１８】
（５）材料吹き付け手段がヒータを有し、材料タンクから送られてきた材料をヒータで温めることを特徴とする前述の農業用バイオマット工法。
【００１９】
（６）材料タンクがヒータを有し、ヒータによって材料タンク内で材料を温めることを特徴とする前述の農業用バイオマット工法。
【００２０】
（７）吹き付け直後に、農業用バイオマットと畝を一緒に整形器具で押さえて整形することを特徴とする前述の農業用バイオマット工法。
【００２１】
（８）トラクターとロータリーの間にコンプレッサーを配置し、コンプレッサーから高圧エアを吹き付け手段に送ることを特徴とする前述の農業用バイオマット工法。
【図面の簡単な説明】
【００２２】
【図１】本発明の１つの実施例による農業用バイオマット工法の実施状況を示す説明図。
【図２】農業用バイオマット工法の実施に用いる材料吹き付け手段および整形器具と畝との関係を示す概略側面図。
【図３】図２に示す材料吹き付け手段および整形器具と畝との関係を示す概略背面図。
【図４】材料吹き付け手段の一例を示す概略説明図。
【図５】材料吹き付け手段の他の例を示す概略説明図。
【発明を実施するための形態】
【００２３】
本発明においては、農業用バイオマットの材料（好ましくは粉状の材料と粘着性の付着物との混合物）を畝に吹きつけて、畝の表面に農業用バイオマット（幕）を張る。本発明に用いる農業用バイオマットの材料は、予めシート状に形成されているものではない。
【００２４】
好ましくは、トラクターによって材料タンクと材料吹き付け手段を運搬しながら、農業用バイオマットの材料を材料タンクから材料吹き付け手段に供給して、農業用バイオマットの材料を材料吹き付け手段から畝の表面に吹き付けて、畝の表面に農業用バイオマットを張る。
【００２５】
さらに好ましくは、トラクターと材料吹き付け手段との間にロータリーを配置して、畝をロータリーで整形した直後に、農業用バイオマットの材料を材料吹き付け手段から畝の表面に吹き付ける。
【００２６】
材料吹き付け手段がスクリューとヒータを有し、材料タンクから材料吹き付け手段に供給されてきた材料をヒータで温め、かつ、スクリューでかき混ぜてから、材料を畝の表面に吹き付けることが好ましい。
【００２７】
材料の吹き付け直後に、畝上に張られた農業用バイオマットと畝を一緒に整形器具で上から押さえて整形するのが好ましい。
【００２８】
作業効率を向上させるために、トラクターとロータリーの間にコンプレッサーを配置し、コンプレッサーから高圧エアを吹き付け手段に送ることが好ましい。
【００２９】
農業用バイオマットの材料は、作物種に応じて、種々の有機質肥料（堆肥、腐葉土等）、培抗微生物、炭（バイオリアクター）、灰、粘着性のある付着剤などを混合して作られる。灰にはカルシウム（石灰）が多く含まれているので除草効果が期待できる。付着剤の例として、ふのり、グルコマンナン、コンニャク、さつまいも、米がある。米の粉が使いやすく、柔軟性もあるが、コスト高になりやすい。グルコマンナンは、コスト面で有利である。農業用バイオマットは、好ましくは、灰及び／又は堆肥を微粉化し、それらに粘着性をもつ付着剤を配合し、エアで畝に吹き付けて形成する。
【００３０】
農業用バイオマットは、畝に吹き付けられたあと、土中の水分と反応して固まり、約３ヶ月後に分解するようにするのが好ましい。
【実施例】
【００３１】
以下、図面を参照して、本発明の好適な実施例を説明する。
【００３２】
図１において、１０はトラクターを示す。このトラクター１０の後方に、材料タンク１２と材料吹き付け手段１４が設けられる。材料タンク１２の上部は開口しており、下方の底部に供給口１２ａが形成されている。その材料タンク１２の下方の供給口１２ａに接続されているのが、材料吹き付け手段１４である。この材料吹き付け手段１４の具体例は後述する。
【００３３】
トラクター１０によって材料タンク１２と材料吹き付け手段１４を前方に運搬しながら、農業用バイオマットの材料を材料タンク１２から材料吹き付け手段１４に供給して、農業用バイオマットの材料を材料吹き付け手段１４から畝２４の表面に吹き付けて、畝２４の表面に農業用バイオマット３０を張る。
【００３４】
トラクター１０と材料吹き付け手段１４や材料タンク１２との間にロータリー１６が配置されていて、畝２４を整形した直後に、農業用バイオマットの材料を材料吹き付け手段１４から畝２４の表面に吹き付ける。
【００３５】
図４に示すように、材料吹き付け手段１４は、細長い圧力ケーシング１４ａと、その中に配置されたスクリュー１４ｂと、底部に形成された複数のノズル１４ｃと、ヒータ１４ｄを有し、材料タンクからスクリューに供給されてきた材料をヒータ１４ｄで温めるとともにスクリュー１４ｂでかき混ぜてからノズル１４を介して吹き付ける。
【００３６】
図５は、材料吹き付け手段１４の変形例を示す。図５において、材料吹き付け手段１４は、細長い圧力ケーシング１４ａと、その中に配置されたスクリュー１４ｂと、底部に形成された穴１４ｆと、ヒータ１４ｄを有し、材料タンクからスクリューに供給されてきた材料をヒータ１４ｄで温めるとともにスクリュー１４ｂでかき混ぜてから穴１４ｆから吹きつける。
【００３７】
図２〜３に示すように、吹き付け直後に、農業用バイオマット３０と畝２４を一緒に整形器具２６（例えばレンコンローラ）で押さえて整形する。
【００３８】
トラクター１０とロータリー１６の間にコンプレッサー１８と油圧ポンプ２０を配置し、コンプレッサー１８から高圧エアを材料吹き付け手段１４、とくにスクリュー１４ｂを経てノズル１４ｃ又は穴１４ｆに送る。
【００３９】
ロータリー１６は、農機具として一般に広く使用されている機種を使用するものとし、トラクター１０の動力をユニバーサルジョイント２２を介してロータリー１６に伝達して、ロータリー１６を回し、かつ、ユニバーサルジョイント２２の途中で油圧タンク２０を作動する。ロータリー１６には土の抵抗が生じるので、従来と同様にユニバーサルジョイント２２でロータリー１６を回すのが好ましい。油圧タンク２０はコンプレッサー１８を作動する。
【００４０】
材料タンク１２から入って来た材料を材料吹き付け手段１４に設置したヒータ、好ましくは熱線又はニクロム線形式のヒータ１４ｄで温め、コンプレッサー１８で圧力をかけて材料を噴霧状に吹付ける。
【００４１】
吹付け直後に、レンコンローラーなどの整形器具２６で押える。吹付けた直後のマルチ材料は、熱いので、土の水分で冷却し固める。
【００４２】
好ましくは、材料（粉）の成分に変化が生じないように前処理しておく。例えば、灰を一度熱処理しておく。とくに、良くなじんで、溶け込むようにする。
【００４３】
本発明は、前述の実施例に限定されない。例えば、前述のヒータ１４ｄに加えて、又は、ヒータ１４ｄの代りに、材料タンク１２の供給口１２ａにヒータ（図示せず）を設けて、材料タンク１２の供給口１２ａで、材料を高温に熱することもできる。
【００４４】
また、ロータリー１６に過大な負荷をかけないように、ユニバーサルジョイント２２のシャフトを真すぐにしてもよい。
【図１】
2010193791.tif 000003
【図２】
2010193791.tif 000004
【図３】
2010193791.tif 000005
【図４】
2010193791.tif 000006
【図５】
2010193791.tif 000007